(57)【要約】      （修正有）【課題】長時間、保温・保冷効果を維持することが出来る体の局所用保温・保冷具を提供する。【解決手段】複数の蓄熱冷材を備えた蓄熱冷材シート３および前記蓄熱冷材シートを収納する帯状のカバー２とからなる体の局所用保温・保冷具１であって、前記カバーはその内部に前記蓄熱冷材シートを収納するための区画５を備え、前記蓄熱冷材シートの長さは前記区画内で移動可能なように前記区画の長さよりも短く形成され、前記蓄熱冷材シートの両端部には前記蓄熱冷材シートを前記区画内で移動させるための引き手１１が設けられ、前記引き手は前記カバーに設けられた開口部を通ってそれぞれ外側に引き出されており、前記引き手によって前記蓄熱冷材シートは前記区画内で長手方向に移動可能とする。【選択図】図１
2008086540.tif 000002
【特許請求の範囲】
【請求項１】
複数の蓄熱冷材を備えた蓄熱冷材シートおよび前記蓄熱冷材シートを収納する帯状のカバーとからなる体の局所用保温・保冷具であって、
前記カバーはその内部に前記蓄熱冷材シートを収納するための区画を備え、前記蓄熱冷材シートの長さは前記区画内で移動可能なように前記区画の長さよりも短く形成され、前記蓄熱冷材シートの両端部には前記蓄熱冷材シートを前記区画内で移動させるための引き手が設けられ、前記引き手は前記カバーに設けられた開口部を通ってそれぞれ外側に引き出されており、前記引き手によって前記蓄熱冷材シートは前記区画内で長手方向に移動可能であることを特徴とする体の局所用保温・保冷具。
【請求項２】
前記区画は、仕切り部によって長手方向に複数列に分割された区画であり、複数列の前記区画にはそれぞれ１つずつ前記蓄熱冷材シートが収納され、前記複数列の区画に対応する位置に２つずつ前記開口部が設けられ、前記引き手によって前記蓄熱冷材シートは前記区画内で互いに独立して長手方向に移動可能であることを特徴とする請求項１に記載の体の局所用保温・保冷具。
【請求項３】
前記区画は、１つの仕切り部によって長手方向に２列に分割された区画であり、前記２列の区画にはそれぞれ１つずつ前記蓄熱冷材シートが収納され、前記２列の区画に対応する位置に２つずつ前記開口部が設けられ、前記引き手によって前記蓄熱冷材シートは前記区画内で互いに独立して長手方向に移動可能であることを特徴とする請求項１に記載の体の局所用保温・保冷具。
【請求項４】
前記カバーには前記蓄熱冷材シートを出し入れするための開閉可能な開閉部が設けられていることを特徴とする請求項１から３のいずれか１項に記載の体の局所用保温・保冷具。
【請求項５】
前記カバーの体に触れる面は、放熱性を有する素材からなり、反対側の面は断熱性を有する素材からなることを特徴とする請求項１から４のいずれか１項に記載の体の局所用保温・保冷具。
【請求項６】
前記カバーの体に触れる面の中央部は放熱性を有する素材からなり、その他の部分は断熱性を有する素材からなることを特徴とする請求項１から４のいずれか１項に記載の体の局所用保温・保冷具。
【請求項７】
２つの前記蓄熱冷材シートにそれぞれ設けられた同一方向の前記引き手が互いに接続されており、２つの前記蓄熱冷材シートが、前記引き手によって１つの環状に接続されることを特徴とする請求項３から６のいずれか１項に記載の体の局所用保温・保冷具。
【発明の詳細な説明】
【技術分野】
【０００１】
本発明は、体の一部を温めたり、あるいは冷やしたりするための、体の局所用保温・保冷具に関する。
【背景技術】
【０００２】
真夏の炎天下で、作業やスポーツをする場合、熱中症や熱射病を防止するために暑さ対策が重要となる。このような暑さ対策として最近では、保冷材を用いた様々な形態のものが多数見受けられる。
【０００３】
保冷剤を用いた暑さ対策の保冷具としては、保冷材を収納するポケットを複数設けたベストのようなタイプの冷却衣（特許文献１）や、首に掛けるタイプの襟足冷却具（特許文献２）等がある。
【０００４】
暑さ対策としては首等を局所的に冷やすことが非常に効果が高く、すでに様々なタイプの保冷具が市販されている。
【０００５】
また、寒さ対策の保温具としては、使い捨てカイロが普及しており、使用形態に応じた様々なタイプのものが市販され使用されている。そして、上述の保冷具においても、保冷材の代わりに使い捨てカイロや蓄熱材を用いて、保温に使用することの出来るタイプのものも用いられている。
【特許文献１】特開２００６−５５２０９
【特許文献２】特開２０００−３２８３１８
【発明の開示】
【発明が解決しようとする課題】
【０００６】
しかし、従来の保冷具および保温具は、どのような形状であっても、保冷材あるいは蓄熱材が配置される位置は固定されており、保冷材および蓄熱材の効果が無くなったら、新しいものと交換する必要があった。特に保冷材は、炎天下では短時間で保冷効果が失われ、保冷効果が持続しにくいという問題点があった。
【０００７】
本発明では、従来の保冷具あるいは保温具よりも長時間、保温・保冷効果を維持することが出来る体の局所用保温・保冷具を提供することを目的とする。
【課題を解決するための手段】
【０００８】
本発明の体の局所用保温・保冷具は、複数の蓄熱冷材を備えた蓄熱冷材シートおよび前記蓄熱冷材シートを収納する帯状のカバーとからなる体の局所用保温・保冷具であって、前記カバーはその内部に前記蓄熱冷材シートを収納するための区画を備え、前記蓄熱冷材シートの長さは前記区画内で移動可能なように前記区画の長さよりも短く形成され、前記蓄熱冷材シートの両端部には前記蓄熱冷材シートを前記区画内で移動させるための引き手が設けられ、前記引き手は前記カバーに設けられた開口部を通ってそれぞれ外側に引き出されており、前記引き手によって前記蓄熱冷材シートは前記区画内で長手方向に移動可能であることを特徴とする。
【０００９】
また、前記区画は、仕切り部によって長手方向に複数列に分割された区画であり、複数列の前記区画にはそれぞれ１つずつ前記蓄熱冷材シートが収納され、前記複数列の区画に対応する位置に２つずつ前記開口部が設けられ、前記引き手によって前記蓄熱冷材シートは前記区画内で互いに独立して長手方向に移動可能であることが好ましい。
【００１０】
あるいは、前記区画は、１つの仕切り部によって長手方向に２列に分割された区画であり、前記２列の区画にはそれぞれ１つずつ前記蓄熱冷材シートが収納され、前記２列の区画に対応する位置に２つずつ前記開口部が設けられ、前記引き手によって前記蓄熱冷材シートは前記区画内で互いに独立して長手方向に移動可能であることが好ましい。
【００１１】
そして、前記カバーには前記蓄熱冷材シートを出し入れするための開閉可能な開閉部が設けられていることが好ましい。
【００１２】
さらに、前記カバーの体に触れる面は、放熱性を有する素材からなり、反対側の面は断熱性を有する素材からなることが好ましい。
【００１３】
あるいは、前記カバーの体に触れる面の中央部は放熱性を有する素材からなり、その他の部分は断熱性を有する素材からなることが好ましい。
【００１４】
そして、２つの前記蓄熱冷材シートにそれぞれ設けられた同一方向の前記引き手が互いに接続されており、２つの前記蓄熱冷材シートが、前記引き手によって１つの環状に接続されることが好ましい。
【発明の効果】
【００１５】
本発明の体の局所用保温・保冷具は、複数の蓄熱冷材を備えた蓄熱冷材シートおよび前記蓄熱冷材シートを収納する帯状のカバーとからなる体の局所用保温・保冷具であって、前記カバーはその内部に前記蓄熱冷材シートを収納するための区画を備え、前記蓄熱冷材シートの長さは前記区画内で移動可能なように前記区画の長さよりも短く形成され、前記蓄熱冷材シートの両端部には前記蓄熱冷材シートを前記区画内で移動させるための引き手が設けられ、前記引き手は前記カバーに設けられた開口部を通ってそれぞれ外側に引き出されており、前記引き手によって前記蓄熱冷材シートは前記区画内で長手方向に移動可能であることにより、体に接していた蓄熱冷材の保温・保冷効果が無くなってきても、蓄熱冷材シートを移動させることによって、まだ保温・保冷効果を有している別の蓄熱冷材を体に局所的に当てることが出来るので、長時間、体の必要な箇所に保温・保冷効果を保つことが出来る。
【００１６】
また、前記区画は、仕切り部によって長手方向に複数列に分割された区画であり、複数列の前記区画にはそれぞれ１つずつ前記蓄熱冷材シートが収納され、前記複数列の区画に対応する位置に２つずつ前記開口部が設けられ、前記引き手によって前記蓄熱冷材シートは前記区画内で互いに独立して長手方向に移動可能であることによって、より保温・保冷効果を高めることが可能となる。
【００１７】
あるいは、前記区画は、１つの仕切り部によって長手方向に２列に分割された区画であり、前記２列の区画にはそれぞれ１つずつ前記蓄熱冷材シートが収納され、前記２列の区画に対応する位置に２つずつ前記開口部が設けられ、前記引き手によって前記蓄熱冷材シートは前記区画内で互いに独立して長手方向に移動可能であることにより、より効率よく、蓄熱冷材シートを使用することが出来る。
【００１８】
そして、前記カバーには前記蓄熱冷材シートを出し入れするための開閉可能な開閉部が設けられていることにより、帯状のカバーの交換及び洗濯を容易とし、また新しい蓄熱冷材シートと交換することが出来るので、さらなる長時間の使用が可能となる。
【００１９】
さらには、前記カバーの体に触れる面は、放熱性を有する素材からなり、反対側の面は断熱性を有する素材からなることにより、蓄熱冷材の保温・保冷効果を長時間保つことが出来る。
【００２０】
あるいは、前記カバーの体に触れる面の中央部は放熱性を有する素材からなり、その他の部分は断熱性を有する素材からなることにより、体の局所に接する部分のみ、保温・保冷効果があるので、さらに、効果的に保温・保冷効果を発揮することが出来る。
【００２１】
そして、２つの前記蓄熱冷材シートにそれぞれ設けられた同一方向の前記引き手が互いに接続されており、２つの前記蓄熱冷材シートが、前記引き手によって１つの環状に接続されることにより、引き手が長くなって使用時に邪魔になるのを防ぎ、使い勝手を良くすることが出来る。
【発明を実施するための最良の形態】
【００２２】
本発明の体の局所用保温・保冷具を、図を用いてさらに詳細に説明する。図１に示すのが本発明の体の局所用保温・保冷具の第１の実施形態の正面図であり、図２が背面図、図３が断面図である。
【００２３】
図１に示すように、本発明の体の局所用保温・保冷具１は、帯状のカバー２と前記カバー２に収容される蓄熱冷材シート３から構成されており、前記蓄熱冷材シート３には複数の蓄熱冷材１０が備えられている。第１の実施形態では１つの蓄熱冷材シート３にそれぞれ７個の蓄熱冷材１０が備えられているが、特に蓄熱冷材１０の数はこれに限定するものではなく、全体の長さ、あるいは使用する体の部位の大きさに合わせて、適切な個数を設定することができる。
【００２４】
前記カバー２の内部は、前記蓄熱冷材シート３を収容するための区画５が設けられている。  前記蓄熱冷材シート３は、前記区画５内で移動可能なように、その長さが前記区画５の長さよりも短く形成されている。そして、前記蓄熱冷材シート３の両端には、前記蓄熱冷材シート３を区画５内で移動させるための引き手１１が設けられている。本実施形態では引き手１１は紐１２と丸い取っ手１３から構成されているが、このような形態に限定するものではなく、蓄熱冷材シート３の両端部を一部延長した形状でもよく、また細い帯状のものでも良い。
【００２５】
前記引き手１１は、前記カバー２に設けられた２つの開口部１４を通って外側に出ており、外側に位置する取っ手１３を持って蓄熱冷材シート３を区画５内で移動させることが出来る。開口部１４は本実施形態では、面７の両端に設けられているが特に位置は限定するものではないので、カバー２の適当な位置に設けることが出来る。
【００２６】
前記カバー２の両端部には、固定具８がそれぞれ設けられ、体の局所用保温・保冷具１の両端を留めて体に固定することが出来る。本実施形態では固定具８として、面ファスナーを用いているが、特に限定するものではなく、ボタンやホック等を用いることも出来る。
【００２７】
前記カバー２は体に当たる面６が放熱性を有する素材からなることが好ましい。本実施形態ではメッシュシートを用いているが、これに限らず、蓄熱冷材１０の保温効果・保冷効果を体に与えることが出来る素材を用いることが好ましい。
【００２８】
前記カバー２の体に当たる面６とは反対側の面７は、断熱性を有する素材からなることが好ましい。例えば、アルミライナーやウレタンシート等を用いることが出来るが、これに限定するのもではなく、蓄熱冷材１０の保温効果・保冷効果が外部に発散されるのを防ぐ断熱性のある素材が好ましい。
【００２９】
そして、前記カバー２の面７には、蓄熱冷材シート３を出し入れするための開閉可能な開閉部１５が設けられている。前記開閉部１５はファスナーを用いて開閉可能となっているが、開閉部１５はファスナーに限らず、面ファスナーあるいはホック等、他の開閉可能な構造であればよい。
【００３０】
前記蓄熱冷材１０は、特に限定するものではなく、蓄熱材あるいは蓄冷材単独の機能を有するものでも良い。その場合、蓄熱冷材シート３を交換することにより、保温効果あるいは保冷効果を選択することが出来る。
【００３１】
保温効果を選択する場合には蓄熱冷材シート３を、電子レンジや湯せん処理によって、蓄熱材シート３の温度を所定の温度まで上昇させて使用する。また保冷効果を選択する場合には、蓄熱冷材シート３を冷蔵庫等を用いて冷却して用いる。
【００３２】
さらに、本発明の体の局所用保温・保冷具１の使用方法について説明する。ここでは、首に本発明の体の局所用保温・保冷具１を使用した場合について説明するが、特に首に限定するのではなく、腰等様々な体の部位に使用することが出来る。図５に示すのが、体の局所用保温・保冷具１を首に使用している状態を示す図である。
【００３３】
図５に示すように、体の局所用保温・保冷具１を首に掛けて、体の正面で固定具８によりカバー２の両端を固定して使用する。この状態で長時間保温・保冷効果を維持させる方法を、図６を用いて説明する。図５に示すように体の局所用保温・保冷具１を首に使用しているときは首に掛けた状態となるが、図６では、わかりやすいように、首に掛けた状態ではなく、体の局所用保温・保冷具１を伸ばした状態で示している。
【００３４】
図６の（ａ）に示すのが、体の局所用保温・保冷具１の使用開始の状態である。図６（ａ）に示すように、蓄熱冷材シート３がカバー２の区画５において中央より左側よりに配置されている。この時、蓄熱冷材シート３の右側の３個の蓄熱冷材１０が首９に接する状態となっている。この状態で使用していて、時間の経過と共に、保温・保冷効果が無くなってきたと感じたら、引き手１１を引っ張って、蓄熱冷材シート３をカバー２の区画５内で、矢印で示すように右側に移動させる。
【００３５】
蓄熱冷材３シートを右側の引き手１１を引っ張ってカバー２の区画５内で右側に移動させ、蓄熱冷材シート３のほぼ中央が首９の所に来るようにする。この状態を図６の（ｂ）に示している。
【００３６】
この時、蓄熱冷材シート３の中央の３個の蓄熱冷材１０が首９に接する状態となっている。この状態で、数時間使用した後、保温・保冷効果が無くなってきたと感じたら、引き手１１を引っ張って、さらに蓄熱冷材シート３を右側に移動させる。
【００３７】
蓄熱冷材３シートを右側の引き手１１を引っ張ってさらにカバー２の区画５内で右側に移動させると、蓄熱冷材シート３の左側の３個の蓄熱冷材１０が首９に接する状態となっている。この状態を図６の（ｃ）に示している。
【００３８】
このように、従来であれば、蓄熱冷材１０の保温・保冷効果が無くなればそれで終わりだったものが、本発明のように、蓄熱冷材シート３をカバー２の区画５内で移動させることにより、新しい蓄熱冷材と交換することなく長時間の保温・保冷効果を維持することが可能となる。
【００３９】
この状態で使用し、保温・保冷効果が無くなり、さらに使用する場合は別の蓄熱冷材シート３と交換し、はじめの手順に戻って使用することで、さらに長時間の使用が可能である。蓄熱冷材シート３の移動方向は、特に限定するものではないので、今回の説明とは反対側に移動させて使用することも出来る。
【００４０】
次に、本発明の第２の実施形態について説明する。第２の実施形態は、複数の蓄熱冷材シートをカバー２に収納するようにした体の局所用保温・保冷具２０である。
【００４１】
図７および図８に示すように、第２の実施形態の体の局所用保温・保冷具２０は、帯状のカバー２１と前記カバー２１に収容される複数の蓄熱冷材シート３から構成されており、前記蓄熱冷材シート３には複数の蓄熱冷材１０が備えられている。本実施形態では２つの蓄熱冷材シート３にそれぞれ７個の蓄熱冷材１０が備えられているが、特に蓄熱冷材シート３および蓄熱冷材１０の数はこれに限定するものではなく、全体の長さ、あるいは使用する体の部位の大きさに合わせて、それぞれ適切な個数を設定することができる。また、蓄熱冷材シート３は、図４に示す第１の実施形態と同じものを用いる。
【００４２】
前記カバー２１の内部は、第１の実施形態のカバー２とは異なり、仕切り部４によって長手方向に２列の区画５に仕切られており、前記２列の区画５の中にそれぞれ1つずつ前記蓄熱冷材シート３が収納されている。区画５の数は、前記蓄熱冷材シート３の数に合わせて本実施形態では２列としているが、蓄熱冷材シート３の数と連動して適宜変更可能である。
【００４３】
前記カバー２１には、第１の実施形態と同じように、開口部１４を設けるが、区画５が２列となっているので、それぞれの区画５に対応するように４つの開口部１４を設ける。
【００４４】
そして、前記カバー２１の面７には、蓄熱冷材シート３を出し入れするための開閉可能な開閉部１５が第１の実施形態と同様に設けられている。本実施形態では、前記カバー２１の面７に２列の区画５に対応した２つの開閉部１５が設けられており、前記開閉部１５はファスナーを用いて開閉可能となっている。開閉部１５はファスナーに限らず、面ファスナーあるいはホック等、他の開閉可能な構造であればよい。
【００４５】
そして、前記カバー２１の両端部には、第１の実施形態と同様に、固定具８がそれぞれ設けられ、体の局所用保温・保冷具１を体の前で留めることが出来る。本実施形態では固定具８として、面ファスナーを用いているが、特に限定するものではなく、ボタンやホック等を用いることも出来る。
【００４６】
その他の構造、例えば前記カバー２１の面６および面７の素材等は、第１の実施形態と同様のものを用いる。
【００４７】
そして、本実施形態の体の局所用保温・保冷具２０を使用する際に、保温効果を選択する場合には蓄熱冷材シート３を、電子レンジや湯せん処理によって、蓄熱材シート３の温度を所定の温度まで上昇させて使用し、保冷効果を選択する場合には、蓄熱冷材シート３を冷蔵庫等を用いて冷却して用いる。
【００４８】
さらに、第２の実施形態の体の局所用保温・保冷具２０の使用方法について説明する。ここでは、首に本発明の体の局所用保温・保冷具２０を使用した場合について説明するが、特に首に限定するのではなく、腰等様々な体の部位に使用することが出来る。図９に示すのが、体の局所用保温・保冷具２０を首に使用している状態を示す図である。
【００４９】
図９に示すように、体の局所用保温・保冷具２０を首に掛けて、正面で固定具８によりカバー２１の両端を固定して使用する。この状態で長時間保温・保冷効果を維持させる方法を、図１０を用いて説明する。図９に示すように体の局所用保温・保冷具２０を首に使用しているときは首に掛けた状態となるが、図１０では、わかりやすいように、首に掛けた状態ではなく、体の局所用保温・保冷具２０を伸ばした状態で示している。
【００５０】
図１０の（ａ）に示すのが、体の局所用保温・保冷具２０の使用開始の状態である。図１０（ａ）に示すように、２つの蓄熱冷材シート３が互い違いになる位置に配置されている。この時、上側の蓄熱冷材シート３は右側の３個の蓄熱冷材１０が首９に接する状態となっており、下側の蓄熱冷材シート３は左側の３個の蓄熱冷材１０が首９に接する状態となっている。この状態で使用していて、時間の経過と共に、保温・保冷効果が無くなってきたと感じたら、引き手１１を引っ張って、蓄熱冷材シート３をカバー２１の区画５内で移動させる。
【００５１】
上側の蓄熱冷材３シートは右側の引き手１１を引っ張ってカバー２１の区画５内で右側に、下側の蓄熱冷材３シートは左側の引き手１１を引っ張ってカバー２１の区画５内で左側に移動させ、上下の蓄熱冷材シート３のほぼ中央が首９の所に来るようにする。この状態を図１０の（ｂ）に示している。
【００５２】
この時、上下の蓄熱冷材シート３は両方とも中央の３個の蓄熱冷材１０が首９に接する状態となっている。この状態で、数時間使用した後、保温・保冷効果が無くなってきたと感じたら、引き手１１を引っ張って、さらに蓄熱冷材シート３を移動させる。
【００５３】
上側の蓄熱冷材３シートは右側の引き手１１を引っ張ってさらにカバー２１の区画５内で右側に、下側の蓄熱冷材３シートは左側の引き手１１を引っ張ってさらにカバー２１の区画５内で左側に移動させると、上側の蓄熱冷材シート３は左側の３個の蓄熱冷材１０が首９に接する状態となっており、下側の蓄熱冷材シート３は右側の３個の蓄熱冷材１０が首９に接する状態となっている。この状態を図１０の（ｃ）に示している。
【００５４】
このように、従来であれば、蓄熱冷材１０の保温・保冷効果が無くなればそれで終わりだったものが、本発明のように、蓄熱冷材シート３をカバー２１の区画５内で移動させることにより、新しい蓄熱冷材と交換することなく長時間の保温・保冷効果を維持することが可能となる。また、蓄熱冷材シート３を２個用いることにより、より保温・保冷効果を高めることが可能となる。
【００５５】
この状態で使用し、保温・保冷効果が無くなり、さらに使用する場合は別の蓄熱冷材シート３と交換し、はじめの手順に戻り使用することで、さらに長時間の使用が可能である。
【００５６】
第１の実施形態および第２の実施形態の説明では、３段階で蓄熱冷材シート３を移動させたが、蓄熱冷材１０の個数や、蓄熱冷材シート３の長さによって、移動回数を適宜設定することが出来る。
【００５７】
保温・保冷効果をさらに高めるための第３の実施形態について説明する。図１１に示すのが第３の実施形態の体の局所用保温・保冷具３０である。
【００５８】
蓄熱冷材シート３は上述の第１および第２の実施形態と同じものを用いる。本実施形態では、カバー２１の一部が第２の実施形態とは異なっており、その他の部分については第２の実施形態と同様とする。
【００５９】
カバー２１の体に接する面６は、その中央部１６（温めようとする、あるいは冷やそうとする体の部位に接する範囲）に放熱性を有する素材を用い、その他の両端部分１７には断熱性を有する素材を用いている。そして面７も断熱性を有する素材を使用する。放熱性を有する素材および断熱性を有する素材は上述の実施形態を同様の素材を用いる。
【００６０】
この際、両端部１７と面７は共に、断熱性を有する素材を用いることになるが、デザイン性肌触り等を考慮して、異なる色や、同じ断熱性を有している異なる素材を用いることも可能である。これにより、外側となる面７には、様々な色の素材を用いて、体に触れる両端部１７には肌触りの良い素材を用いることも可能となる。
【００６１】
このように、温めようとする、あるいは冷やそうとする体の部位に接する範囲のみに放熱性を有する素材を用いることにより、体の部位に接していない蓄熱冷材１０の保温・保冷効果を長時間維持することを可能とする。
【００６２】
これにより、本実施形態の体の局所用保温・保冷具３０は、さらに長時間保温・保冷効果を維持することが可能となる。
【００６３】
さらに、第４の実施形態について説明を行う。図１２に示すのが第４の実施形態の体の局所用保温・保冷具４０である。
【００６４】
本実施形態の体の局所用保温・保冷具１は、第２の実施形態と、引き手１１の構造だけが異なっている。その他の構造については、第２の実施形態と同様であるので説明を省略する。
【００６５】
第２及び第３の実施形態では、２つの蓄熱冷材シート３の両端部にそれぞれ引き手１１（本実施形態では紐状のもの）が設けられていたが、本実施形態においては、図１２に示すように、２つの蓄熱冷材シート３の両端部に設けられた引き手１１のうち、同じ方向にある前記引き手１１同士が互いに接続されており、前記２つの蓄熱冷材シート３が、前記引き手１１によって１つの環状に接続される形となっている。
【００６６】
このように２つの蓄熱冷材シート３が環状に接続されることにより、左右の引き手１１を動かすと、上下の蓄熱冷材シート３は連動して移動しやすくなる。本実施形態では、蓄熱冷材シート３を開閉部１５から出し入れできるように、引き手１１を蓄熱冷材シート３から簡単に取り外せるようにしておくことが好ましい。
【００６７】
本実施形態では、引き手１１の長さを短くすることが可能となり、体の局所用保温・保冷具の使用中でも、引き手１１が邪魔になるのを防ぐことが出来る。
【図面の簡単な説明】
【００６８】
【図１】第１の実施形態の体の局所用保温・保冷具の正面図である。
【図２】第１の実施形態の体の局所用保温・保冷具の背面図である。
【図３】第１の実施形態の体の局所用保温・保冷具の断面図である。
【図４】蓄熱冷剤シート３の正面図である。
【図５】第１の実施形態の体の局所用保温・保冷具を使用した状態を示す図である。
【図６】（ａ）から（ｃ）は、第１の実施形態の体の局所用保温・保冷具の使用順序を示す図である。
【図７】第２の実施形態の体の局所用保温・保冷具の正面図である。
【図８】第２の実施形態の体の局所用保温・保冷具の背面図である。
【図９】第２の実施形態の体の局所用保温・保冷具を使用した状態を示す図である。
【図１０】（ａ）から（ｃ）は、第２の実施形態の体の局所用保温・保冷具の使用順序を示す図である。
【図１１】第３の実施形態の体の局所用保温・保冷具の正面図である。
【図１２】第４の実施形態の体の局所用保温・保冷具の正面図である。
【符号の説明】
【００６９】
１    体の局所用保温・保冷具
２    帯状のカバー
３    蓄熱冷材シート
４    仕切り部
５    区画
６    面
７    面
８    固定具
９    首
１０  蓄熱冷材
１１  引き手
１２  紐
１３  取っ手
１４  開口部
１５  開閉部
１６  中央部
１７  両端部
２０  第２の実施形態の体の局所用保温・保冷具
２１  カバー
３０  第３の実施形態の体の局所用保温・保冷具
４０  第４の実施形態の体の局所用保温・保冷具
【図１】
2008086540.tif 000003
【図２】
2008086540.tif 000004
【図３】
2008086540.tif 000005
【図４】
2008086540.tif 000006
【図５】
2008086540.tif 000007
【図６】
2008086540.tif 000008
【図７】
2008086540.tif 000009
【図８】
2008086540.tif 000010
【図９】
2008086540.tif 000011
【図１０】
2008086540.tif 000012
【図１１】
2008086540.tif 000013
【図１２】
2008086540.tif 000014